(57)【要約】【課題】一次操作を行うことにより、行う必要がある二次操作も考慮して、ドライバが、一次操作、二次操作を実行するかどうかを判断することができる車両用操作提案装置を提供する。【解決手段】予め設定された種類の操作をドライバに提案すべきかどうかを判断するために必要な状態項目の今後の状態を予測する（Ｓ２、Ｓ４）。そして、予測した状態項目の今後の状態に基づいて、ドライバに提案すべき一次操作を決定する（Ｓ６）。さらに、決定した一次操作を行った後の状態項目の状態である一次操作後状態を予測する（Ｓ８、Ｓ１０）。その一次操作後状態に基づいて、ドライバに提案すべき二次操作を決定する（Ｓ１２）。そして、一次操作メッセージとともに、二次操作メッセージを所定の出力部から出力する（Ｓ１８）。【選択図】図２
2015160522.tif 000002
【特許請求の範囲】
【請求項１】
車両で用いられ、
予め設定された種類の操作をドライバに提案すべきかどうかを判断するために必要な状態項目の今後の状態を予測する一次予測部（Ｓ２、Ｓ４）と、
前記一次予測部が予測した前記状態項目の今後の状態に基づいて、ドライバに提案すべき一次操作を決定する一次提案決定部（Ｓ６）と、
前記一次提案決定部が決定した一次操作を行った後の前記状態項目の状態である一次操作後状態を予測する二次予測部（Ｓ８、Ｓ１０）と、
前記二次予測部が予測した前記一次操作後状態に基づいて、ドライバに提案すべき二次操作を決定する二次提案決定部（Ｓ１２）と、
前記一次提案決定部が決定した一次操作を示す一次操作メッセージとともに、前記二次提案決定部が決定した二次操作を示す二次操作メッセージを所定の出力部から出力する提案出力処理部（Ｓ１４、Ｓ１５、Ｓ１６、Ｓ１８）と、
を備えることを特徴とする車両用操作提案装置。
【請求項２】
請求項１において、
前記提案出力処理部は、前記一次操作メッセージ、前記二次操作メッセージとともに、前記二次予測部が予測した前記一次操作後状態を、前記出力部から出力することを特徴とする車両用操作提案装置。
【請求項３】
請求項１または２において、
前記提案出力処理部は、前記二次提案決定部が、提案すべき前記二次操作がないと決定した場合、前記一次操作メッセージを前記出力部から出力し、前記二次操作メッセージは前記出力部から出力しないことを特徴とする車両用操作提案装置。
【請求項４】
請求項３において、
前記提案出力処理部は、前記二次操作メッセージを出力しない場合には、提案すべき前記二次操作がないことを、前記一次操作メッセージとともに、前記出力部から出力することを特徴とする車両用操作提案装置。
【請求項５】
請求項１または２において、
前記提案出力処理部は、前記出力部から出力する二次操作メッセージとして、前記二次操作を行う対象機器およびその対象機器の操作状態を示すメッセージに加えて、その対象機器の操作方法を出力することを特徴とする車両用操作提案装置。
【請求項６】
請求項１〜５のいずれか１項において、
前記提案出力処理部が前記一次操作メッセージおよび前記二次操作メッセージを前記出力部から出力した後、前記ドライバが前記二次操作を行ったか否かに基づいて、前記ドライバの前記二次操作に対する嗜好を、前記一次操作と前記二次操作の組み合わせ別に学習する二次操作嗜好学習部（Ｓ２６）を備え、
前記提案出力処理部は、前記二次操作嗜好学習部が学習した結果と、前記一次提案決定部が決定した一次操作と、前記二次提案決定部が決定した二次操作とに基づいて、前記二次提案決定部が決定した二次操作を前記ドライバが行わないと判断した場合、前記一次操作メッセージは前記出力部から出力するが、前記二次操作メッセージは、前記出力部から出力しないことを特徴とする車両用操作提案装置。
【請求項７】
請求項１〜６のいずれか１項において、
前記提案出力処理部が前記一次操作メッセージおよび二次操作メッセージを前記出力部から出力した後、前記ドライバが前記一次操作を行ったか否かに基づいて、前記ドライバの前記一次操作に対する嗜好を、前記一次操作と前記二次操作の組み合わせ別に学習する一次操作嗜好学習部（Ｓ２４）を備え、
前記提案出力処理部は、前記一次操作嗜好学習部が学習した結果と、前記一次提案決定部が決定した一次操作と、前記二次提案決定部が決定した二次操作とに基づいて、前記一次提案決定部が決定した一次操作と、前記二次提案決定部が決定した二次操作の組み合わせである場合、前記一次操作を前記ドライバが行わないと判断したことに基づいて、前記一次操作メッセージ、前記二次操作メッセージを、前記出力部から出力しないことを特徴とする車両用操作提案装置。
【請求項８】
請求項１〜７のいずれか１項において、
前記出力部として表示部（４０）を備え、
前記提案出力処理部は、前記一次操作メッセージ、前記二次操作メッセージに加えて、前記一次操作の実行を指示する一次操作指示ボタン（４６）と、前記一次操作と前記二次操作の実行を指示する複合操作指示ボタン（４８）とを、前記表示部に表示することを特徴とする車両用操作提案装置。
【請求項９】
請求項８において、
前記提案出力処理部は、前記一次操作指示ボタンを包含している形状の前記複合操作指示ボタンを表示することを特徴とする車両用操作提案装置。
【発明の詳細な説明】
【技術分野】
【０００１】
本発明は、車両で用いられ、ドライバに機器の操作を提案する車両用操作提案装置に関する。
【背景技術】
【０００２】
雨等の車室内や乗員に対して不都合を生じさせる天気を予測し、予め窓などを自動的に閉じる装置が知られている（たとえば特許文献１）。
【先行技術文献】
【特許文献】
【０００３】
【特許文献１】特開２００７−２３７７８９号公報
【発明の概要】
【発明が解決しようとする課題】
【０００４】
窓を閉めることが好きではないドライバがいるなど、個々のドライバにより好みが異なる。そのため、窓を閉めるなどの制御を自動的に行なってしまうと、ドライバに不快感を与えてしまう恐れがある。
【０００５】
そこで、窓を閉めるなどの制御を自動的に行うのではなく、窓を閉めるなどの操作を提案するまでに留めることが考えられる。この提案に従って窓を閉めたことにより、車室内が暑くなったり、窓が曇ったりすることもある。
【０００６】
車室内が暑くなったり、窓が曇ったりすることを避けるため、エアコンを起動させることが考えられる。しかし、エアコンを起動させることがあまり好きではないドライバは、車室内が暑くなると、エアコンを起動させるのではなく、再び窓を開けることも考えられる。この場合、窓を閉めなければよかったと考えてしまう恐れがある。
【０００７】
また、窓が曇ってしまった場合には、エアコンを起動しても即座には窓の曇りは解消せずに慌ててしまうことも想定される。この場合にも、窓を閉めない方がよかったと考えてしまう可能性がある。また、早めにエアコンを起動しておけばよかったと考える可能性もある。
【０００８】
車両の窓の操作とエアコンの起動は一例であり、ある一次操作をしたときには、その一次操作により行う必要が生じる二次操作も考慮して、一次操作を行うかを判断できることが好ましい。
【０００９】
しかし、ドライバが車を運転しているときは、運転操作を行うことに高い意識があるため、ある一次操作をしたときに、その一次操作を行ったことにより、どのような二次操作を行う必要が生じるかをドライバ自身が想定することは困難な場合も多い。
【００１０】
本発明は、この事情に基づいて成されたものであり、その目的とするところは、一次操作を行うことにより、行う必要がある二次操作も考慮して、ドライバが、一次操作、二次操作を実行するかどうかを判断することができる車両用操作提案装置を提供する。
【課題を解決するための手段】
【００１１】
上記目的は独立請求項に記載の特徴の組み合わせにより達成され、また、下位請求項は、発明の更なる有利な具体例を規定する。また、特許請求の範囲に記載した括弧内の符号は、一つの態様として後述する実施形態に記載の具体的手段との対応関係を示すものであって、本発明の技術的範囲を限定するものではない。
【００１２】
上記目的を達成するための本発明は、車両で用いられ、予め設定された種類の操作をドライバに提案すべきかどうかを判断するために必要な状態項目の今後の状態を予測する一次予測部（Ｓ２、Ｓ４）と、一次予測部が予測した状態項目の今後の状態に基づいて、ドライバに提案すべき一次操作を決定する一次提案決定部（Ｓ６）と、一次提案決定部が決定した一次操作を行った後の状態項目の状態である一次操作後状態を予測する二次予測部（Ｓ８、Ｓ１０）と、二次予測部が予測した一次操作後状態に基づいて、ドライバに提案すべき二次操作を決定する二次提案決定部（Ｓ１２）と、一次提案決定部が決定した一次操作とともに、二次提案決定部が決定した二次操作を所定の出力部から出力する提案出力処理部（Ｓ１４、Ｓ１５、Ｓ１６、Ｓ１８）と、を備えることを特徴とする車両用操作提案装置である。
【００１３】
本発明によれば、一次操作とともに、二次操作が出力部から出力されるので、ドライバは、二次操作を行う必要が生じる可能性も考慮して一次操作、二次操作を行うかどうかを判断することができる。
【図面の簡単な説明】
【００１４】
【図１】本発明の第１実施形態となる車両用操作提案装置１の構成を示すブロック図である。
【図２】図１のＥＣＵ７０が実行する処理を示すフローチャートである。
【図３】図２のステップＳ１８で表示部４０に表示する第１の表示例である。
【図４】図２のステップＳ１８で表示部４０に表示する第２の表示例である。
【図５】図２のステップＳ１８で表示部４０に表示する第３の表示例である。
【図６】第２実施形態で、図７のフローチャートに続いて、ＥＣＵ７０が実行する処理を示すフローチャートである。
【図７】図２のフローチャートに代えて、第２実施形態のＥＣＵ７０が実行する処理を示すフローチャートである。
【図８】一次操作、二次操作の別例を示す図である。
【発明を実施するための形態】
【００１５】
＜第１実施形態＞
以下、本発明の実施形態を図面に基づいて説明する。図１に示すように、第１実施形態の車両用操作提案装置１は、近距離通信部１０、広域通信部２０、位置検出部３０、表示部４０、スピーカ５０、タッチパネル６０、ＥＣＵ７０を備えている。この車両用操作提案装置１は車両に搭載される。以下、この車両用操作提案装置１が搭載されている車両を自車両という。
【００１６】
近距離通信部１０は、たとえば、５．８ＧＨｚ帯、７００ＭＨｚ帯などの所定の周波数帯の電波を用いて、他車両が備えている近距離通信部との間で車車間通信を行い、また、路側に設定されている路側機が備える近距離通信部との間で路車間通信を行う。これら車車間通信、路車間通信により、近距離通信部１０は自車両の周辺の交通情報等の種々の情報を受信する。
【００１７】
広域通信部２０は、公衆通信回線網を利用して、自車両の外部に設置されているサーバが備える通信部などと通信を行う。この広域通信部２０は、サーバ等から、自車両周辺の交通情報、天気情報などを受信する。なお、近距離通信部１０が路側機を介してサーバと通信を行ってもよい。
【００１８】
これら近距離通信部１０、広域通信部２０を介して受信する情報は、後述する一次予測、二次予測を行うために必要な状態項目の状態である。一次予測、二次予測を行うために必要な状態項目を例示すると、天気、交通情報などがある。その状態項目の状態は、たとえば、状態項目が天気であれば、晴れ、雨等になる。状態項目が交通情報であれば、状態項目の状態は渋滞およびその渋滞が生じえいる地域などである。
【００１９】
どのような具体的状態項目が一次予測、二次予測を行うために必要であるかは予め設定されている。これらの予測に必要な状態項目が得られれば、近距離通信部１０、広域通信部２０のいずれか一方のみを備えていてもよい。
【００２０】
位置検出部３０は、自車両の現在位置を逐次検出する。たとえば、位置検出部３０は、衛星からの電波に基づいて自装置の位置を検出するＧＮＳＳ（Ｇｌｏｂａｌ  Ｎａｖｉｇａｔｉｏｎ  Ｓａｔｅｌｌｉｔｅ  Ｓｙｓｔｅｍ）で用いられるＧＮＳＳ受信機を備えている。そして、このＧＮＳＳ受信機が受信した信号に基づいて現在位置を検出する。
【００２１】
表示部４０は、出力部に相当するものであり、表示画面を備えている。後に詳しく説明するが、この表示画面に、図３に例示しているような、一次操作メッセージ４１、二次操作メッセージ４２、操作指示ボタン４６、複合操作指示ボタン４７、キャンセルボタン４８などが表示される。
【００２２】
スピーカ５０は、表示部４０に、上述の一次操作、二次操作などが表示されたことをドライバに知らせるための報知音が出力される。また、上記表示部４０に代えて、あるいは、表示部４０に加えて、このスピーカ５０を出力部として用い、一次操作、二次操作を音により出力してもよい。
【００２３】
タッチパネル６０は、入力部として備えているものであり、表示部４０の表示画面の上に配置される。表示画面に一次操作指示ボタン４６、複合操作指示ボタン４７、キャンセルボタン４８が表示されている状態で、タッチパネル６０におけるそれらのボタンの上部部分に入力操作を行うと、ＥＣＵ７０は、入力操作がされた部分に対応するボタンが操作されたと判断する。
【００２４】
ＥＣＵ７０は、ＣＰＵ、ＲＯＭ、ＲＡＭ等を備えたコンピュータであり、ＣＰＵが、ＲＡＭの一時記憶機能を利用しつつＲＯＭに記憶されているプログラムを実行することで、ＥＣＵ７０は、図２に示す処理を実行する。なお、ＥＣＵ７０が実行する機能の一部または全部を、一つあるいは複数のＩＣ等によりハードウェア的に構成してもよい。
【００２５】
このＥＣＵ７０は、車内ＬＡＮ１１０を介して、ボディＥＣＵ１２０、エアコンＥＣＵ１４０など、自車両に備えられている他のＥＣＵとの間で通信が可能になっている。また、この車内ＬＡＮ１１０を介して、車速センサが検出した車速信号など種々のセンサ信号も取得できる。
【００２６】
ボディＥＣＵ１２０は、ウィンドウ駆動部１３０と接続されており、このウィンドウ駆動部１３０の制御を行う。また、ボディＥＣＵ１２０は、ウィンドウ駆動部１３０の駆動量から、車両窓の上下方向の位置を判断することもできる。なお、この上下方向の位置を検出する窓位置センサが設けられている場合には、その窓位置センサの検出値から、車両窓の上下方向の位置を判断してもよい。ウィンドウ駆動部１３０は、自車両の窓を上下させるアクチュエータである。なお、ボディＥＣＵ１２０は、ドアロック機構など図示していない他の装置の制御も行う。
【００２７】
エアコンＥＣＵ１４０は、エアコン駆動部１５０と接続されている。このエアコン駆動部１５０は、コンプレッサーやインバータ等、車室内の温度を調整するための装置である。
【００２８】
次に図２に示す処理を説明する。図２に示す処理は、車両の電源がＯＮになっている状態で、予め設定されている一定周期ごとに実行する。
【００２９】
ステップＳ２、ステップＳ４は一次予測部に相当する処理である。ステップＳ２では、予め設定された複数の操作をドライバに提案すべきかどうかを、操作ごとに判断するために必要な状態項目の現在または将来の状態を取得する。なお、ドライバに提案すべきかどうかを判断する操作を、以下では提案候補操作という。
【００３０】
この提案候補操作を提案すべきかどうかを判断するために必要な状態項目には、車両外部の状態に関する状態項目である外部状態項目と、車両内の状態に関する状態項目である車両内状態項目がある。
【００３１】
外部状態項目には、たとえば、天気、外気温、外気の湿度、渋滞、交通規制などがある。これら外部状態項目については、取得可能なものについては、現在および将来の状態を取得する。これら外部状態項目の状態は、近距離通信部１０、広域通信部２０を用いて外部と通信することで取得する。また、外部状態項目の状態は地域により異なる。状態を取得する地域は位置検出部３０が検出した現在位置に基づいて決定する。たとえば、現在位置を中心とする半径所定距離の円内について、外部状態項目の状態を取得する。状態を取得する地域の他の例としては、現在位置を中心とする半径所定距離の円のうち、進行方向前方の半円内がある。また、この半径を車速により変化させてもよい。
【００３２】
車両内状態項目の状態は、車内ＬＡＮ１１０を介して取得する。車両内状態項目には、たとえば、窓の開閉状態、エアコンのＯＮ／ＯＦＦ状態、その他各種スイッチのＯＮ／ＯＦＦ状態などがある。これら車両内状態項目については、現在の状態を取得する。
【００３３】
ステップＳ４では、一次予測を行う。一次予測は、ステップＳ２で取得した状態項目の現在の状態と、自車両の現在位置、進行方向、車速に基づいて、提案候補操作を提案すべきかどうかを判断するために必要な状態項目の今後の状態を予測する。
【００３４】
たとえば、提案候補操作が窓を閉める操作であれば、一次予測において今後の状態を予測する状態項目は天気である。どのぐらいの期間を今後とするかは種々に設定可能であるが、たとえば１時間とする。そして、自車両の現在位置、進行方向、走行予定の各道路を走行する際の平均的な速度から、１時間内に到達する範囲を決定する。この決定した範囲の１時間以内の天気が、窓を閉める操作という提案候補操作に対してこの一次予測において予測する今後の状態である。
【００３５】
続くステップＳ６は一次提案決定部に相当しており、一次提案決定処理を行う。この一次提案決定処理は、ステップＳ４で予測した状態項目の今後の状態に基づいて、ドライバに提案すべき１つまたは複数の一次操作を、提案候補操作の中から決定する処理である。たとえば、進行方向前方で雨が降っており、自車両の窓が開いている場合には、窓を閉めるという一次操作を決定する。なお、ステップＳ４で予測した状態項目の今後の状態によっては、提案すべき一次操作がないと決定することもある。
【００３６】
続くステップＳ８、Ｓ１０は二次予測部に相当している。ステップＳ８では、ドライバに提案すべき一次操作を決定したか、すなわち、ステップＳ６で少なくとも一つの一次操作を決定したか否かを判断する。この判断がＮＯであれば、ステップＳ１０、Ｓ１２を実行せずにステップＳ１４へ進む。一方、ステップＳ８の判断がＹＥＳであればステップＳ１０に進む。
【００３７】
ステップＳ１０では、二次予測を行う。この二次予測では、ステップＳ６の一次提案決定処理で決定した一次操作を行ったとして、その一次操作を行った後の状態項目の状態である一次操作後状態を予測する。
【００３８】
たとえば、一次操作として窓を閉めるという操作を決定した場合には、窓が閉められたと仮定して、窓が閉められた後の状態項目の状態を予測する。この予測した状態が一次操作後状態である。一次操作後状態として予測する状態項目としては、たとえば、車室内の気温、外気の湿度、車室内の湿度、車両窓の内表面の温度などがある。
【００３９】
車室内の気温を予測するためには、外気温と天気を用いる。また天気に代えて日射量を用いてもよい。外気の湿度は、外部との通信により、車両外で予測された予測値を取得する。車室内の湿度は、外気の湿度と、窓の開閉状態、内外気切り替えモードが外気導入モードとなっているか内気循環モードとなっているか、から予測する。車両窓の内表面の温度は、外気の温度に近くなるので、外気温から予測する。外気温は、外部との通信により、車両外で予測された予測値を取得する。
【００４０】
一次操作後状態を予測する期間は種々に設定可能である。たとえば、一次予測と同じ期間とする。
【００４１】
ステップＳ１２は二次提案決定部に相当しており、二次提案決定処理を行う。この二次提案決定処理では、ステップＳ１０で決定した一次操作後状態に基づいて、ドライバに提案すべき１つまたは複数の二次操作を、提案候補操作の中から決定する。たとえば、一次操作後状態で決定した車室内の気温が、予め設定されているエアコン推奨温度範囲に入る場合、エアコンＯＮを二次操作として決定する。また、一次操作後状態で決定した車室内の湿度と、車両窓の内表面の温度から、車両窓の内表面に結露が生じる、すなわち、車両窓の内表面が曇ると判断できる場合にも、エアコンＯＮを二次操作として決定する。なお、ステップＳ１０で予測した一次操作後状態によっては、提案すべき二次操作がないと決定することもある。
【００４２】
続くステップＳ１４〜Ｓ１８は提案出力処理部に相当する。ステップＳ１４では、提案操作があるかどうかを判断する。提案操作とは、一次操作または、一次操作および二次操作のことである。提案操作がなければ、Ｓ１４の判断がＮＯとなる。この場合には、図２の処理を終了する。提案操作があれば、Ｓ１４の判断がＹＥＳとなる。この場合にはステップＳ１６へ進む。
【００４３】
ステップＳ１６では、一次操作、二次操作を行うかどうかについてドライバの指示を受けるために、表示部４０に表示する操作指示ボタンを決定する。この操作指示ボタンには、一次操作のみの実行をドライバが指示するための一次操作指示ボタン４６と、一次操作と二次操作の実行を同時にドライバが指示するための複合操作指示ボタン４７と、いずれの操作も不要であることをドライバが指示するためのキャンセルボタン４８がある。
【００４４】
ある提案候補操作を一次操作として決定したが、二次操作はなしと決定した場合、このステップＳ１６では、表示部４０に表示する操作指示ボタンを、一次操作指示ボタン４６とキャンセルボタン４８の２つとする。また、ある提案候補操作を一次操作として決定し、二次操作にもある提案候補操作を決定した場合には、表示部４０に表示する操作指示ボタンを、一次操作指示ボタン４６、キャンセルボタン４８、複合操作指示ボタン４７の３つとする。一次操作も二次操作もなしと決定した場合には、表示部４０に表示する操作指示ボタンはなしとする。
【００４５】
ステップＳ１８では、提案操作を示すメッセージと、ステップＳ１６で決定した操作指示ボタンを表示部４０に表示する。なお、メッセージは、文字、文字以外の記号、記号以外の図形の少なくとも１つを用いて構成される。
【００４６】
図３の表示例は、一次操作として窓を閉めるという操作を決定し、二次操作としてエアコンＯＮという操作を決定した場合を例とした表示例である。この図３の表示例には、一次操作を示す一次操作メッセージ４１である「窓ＣＬＯＳＥ」、二次操作を示す二次操作メッセージ４２である「＋エアコンＯＮ」が含まれている。また、それらのメッセージ４１、４２に加えて、各メッセージの上に、一次操作、二次操作を提案している理由を示す一次操作理由メッセージ４３、二次操作理由メッセージ４４も表されている。二次操作理由メッセージ４４は、一次操作後状態を示していることにもなる。
【００４７】
これらのメッセージ４１〜４４の横には、提案であることを表すための提案図形４５が表されている。この提案図形４５は、図３の例では点灯している状態の電球である。提案図形４５として、他の図形を用いてもよい。
【００４８】
また、メッセージ４１〜４４の下方には、一次操作指示ボタン４６、複合操作指示ボタン４７、キャンセルボタン４８が表されている。図３に例示した一次操作指示ボタン４６は、横長の楕円形状であり、楕円内に一次操作の内容が文字で表されている。複合操作指示ボタン４７も、一次操作指示ボタン４６と同様、横長の楕円形である。ただし、大きさは複合操作指示ボタン４７のほうが大きい。複合操作指示ボタン４７の大きさおよび位置は、一次操作指示ボタン４６を完全に包含する大きさ、位置になっている。そして、複合操作指示ボタン４７の一次操作指示ボタン４６が重畳していない部分には、一次操作と二次操作の内容をそれぞれ示す文字が表示されている。このように、複合操作指示ボタン４７にこの文字が表示されていること、および、複合操作指示ボタン４７が一次操作指示ボタン４６を包含していることで、複合操作指示ボタン４７が、一次操作と二次操作を同時に指示することができるボタンであることが分かりやすくなっている。
【００４９】
図４は、図３とは別の表示例であり、一次操作は図３と同じであるが、二次操作はなしと決定した場合の表示例である。この図４の例では、一次操作メッセージ４１、操作理由メッセージ４３、提案図形４５、一次操作指示ボタン４６、キャンセルボタン４８が表示されている。しかし、二次操作なしと決定しているので、図３に示している複合操作指示ボタン４７は、図４の表示例には表示されていない。代わりに、提案すべき二次操作はないことを示している操作不要メッセージ４９が表されている。図４における操作不要メッセージ４９は、一次操作に関連してよく提案している二次操作を示して、その二次操作が不要であることを意味するメッセージになっている。もちろん、この例に限らず、具体的な二次操作を示さずに、提案すべき二次操作がないことを示すメッセージの操作不要メッセージを表示してもよい。
【００５０】
図５は、図３、４とは別の表示例であり、一次操作は図３と同じであるが、二次操作として、デフロスタをＯＮにする操作を決定した場合の表示例である。デフロスタをＯＮにする操作を二次操作として決定するのは、車両窓の内表面が曇ると予測した場合である。
【００５１】
前述の例では、車両窓の内表面が曇ると予測した場合にはエアコンＯＮを二次操作として決定する例を示していたが、このように、デフロスタをＯＮにする操作を決定してもよい。ただし、デフロスタは、窓が曇り始めた後に起動させる装置であるので、図５の二次操作メッセージ４２ａは、その操作を行う条件「曇り始めたら」を付したメッセージとなっている。加えて、図５に示している二次操作メッセージ４２ａは、デフロスタスイッチの形状の操作スイッチ図形４２ａ１を含んでいる。すなわち、二次操作メッセージ４２ａは、デフロスタという操作対象機器の操作状態をＯＮにするとうい提案を示していることに加えて、デフロスタの操作方法も示している。
【００５２】
ステップＳ２０では、操作指示ボタンが押されたか否かを判断する。ここでの操作指示ボタンは、一次操作指示ボタン４６、複合操作指示ボタン４７、キャンセルボタン４８のうち、表示部４０に表示されているボタンを意味する。この判断がＮＯであれば、再度、ステップＳ２０の判断を繰り返す。
【００５３】
ステップＳ２０の判断がＹＥＳになった場合、ステップＳ２２に進む。ステップＳ２２では、押された操作指示ボタンに応じた制御を実行する。たとえば、複合操作指示ボタン４７が押された場合には、一次操作により定まる制御と、二次操作により定まる制御を両方とも実行する。たとえば、一次操作が窓を閉めるという操作であり、二次操作がエアコンＯＮという操作であれば、窓を閉めるために、ボディＥＣＵ１２０に、操作対象機器である窓が閉まるようにウィンドウ駆動部１３０を制御することを指示する。加えて、エアコンＥＣＵ１４０に、エアコンをＯＮにするように指示する。
【００５４】
以上、説明した第１実施形態の車両用操作提案装置１は、一次操作ありと決定し、さらに、二次操作ありと決定した場合、表示部４０の表示画面に、一次操作を示す一次操作メッセージ４１とともに、二次操作を示す二次操作メッセージ４２を表示する（Ｓ１８）。この表示画面を見ることにより、ドライバは、二次操作を行う必要が生じる可能性も考慮して一次操作、二次操作を行うかどうかを判断することができる。
【００５５】
また、これら一次操作メッセージ４１、二次操作メッセージ４２に加えて、一次操作後状態を示している二次操作理由メッセージ４４も、表示画面に表示する。そのため、一次操作を行ったら、どういう状態になるかも考慮して、ドライバは、一次操作、二次操作を行うかどうかを判断することができる。
【００５６】
一方、一次操作ありと決定したが、提案すべき二次操作はないと決定した場合、一次操作メッセージ４１を表示するだけでなく、提案すべき二次操作がないことを示す操作不要メッセージ４９も表示する。ドライバは、この操作不要メッセージ４９を見ることにより、二次操作が不要であることを明確に認識することができる。よって、ドライバは、二次操作を行う必要がないとして一次操作を行うかどうかを判断することができる。
【００５７】
また、図５に示すように、操作対象機器であるデフロスタの操作方法を示している操作スイッチ図形４２ａ１を含んでいる二次操作メッセージ４２ａが表示されると、その操作対象器の操作方法を知らないドライバであっても、操作方法に迷わないで済む。
【００５８】
また、本実施形態の車両用操作提案装置１は、一次操作ありと決定し、さらに、二次操作ありと決定した場合には、表示画面に、一次操作指示ボタン４６、キャンセルボタン４８に加えて、複合操作指示ボタン４７を表示する。そして、複合操作指示ボタン４７が押された場合には、一次操作と二次操作をともに実行する。そのため、ドライバは、複合操作指示ボタン４７を押すだけで、２つの操作を行うことができる。
【００５９】
また、複合操作指示ボタン４７は、一次操作指示ボタン４６を包含している形状であるので、ドライバは、複合操作指示ボタン４７が、一次操作と二次操作を同時に指示することができるボタンであることを容易に理解することができる。
【００６０】
＜第２実施形態＞
次に、第２実施形態を説明する。この第２実施形態以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用することができる。
【００６１】
第２実施形態では、図２のステップＳ２２を実行した後、図６に示すステップＳ２４、Ｓ２６を実行する。
【００６２】
ステップＳ２４は請求項の一次操作嗜好学習部に相当している。このステップＳ２４では、ドライバの一次操作に対する嗜好を学習する。ドライバの一次操作に対する嗜好は、具体的には、一次操作を提案した場合に、ドライバが一次操作を実行したか否かを表す過去のドライバの操作結果であり、所定の記憶部にこの操作結果を記憶する。この学習は、一次操作のみを提案した場合と、一次操作とともに二次操作を提案した場合とに分けて行う。ドライバが一次操作を行ったかどうかは、一次操作指示ボタン４６、または複合操作指示ボタン４７が押されたか否かで決定する。
【００６３】
続くステップＳ２６は請求項の二次操作嗜好学習部に相当している。このステップＳ２６では、ドライバの二次操作に対する嗜好を学習する。ドライバの二次操作に対する嗜好は、具体的には、二次操作を提案した場合に、ドライバが二次操作を実行したか否かを表す過去のドライバの操作結果であり、所定の記憶部にこの操作結果を記憶する。この学習は、一次操作と二次操作の組み合わせ別に行う。ドライバが二次操作を行ったかどうかは、複合操作指示ボタン４７が押されたか否かで決定する。なお、これらステップＳ２４、Ｓ２６は、ドライバを識別して、ドライバ別に実行してもよい。ドライバの識別は、ＩＤの入力等、公知の種々の手法を用いる。
【００６４】
次に、図７を説明する。図７は、第２実施形態においてＥＣＵ７０が実行する処理を示すフローチャートの一部であり、省略している部分は、図２と同じである。
【００６５】
ステップＳ１５Ａでは、ステップＳ６、Ｓ１２で決定した提案操作に対するドライバの嗜好を学習済みであるか否かを判断する。学習済みの操作とは、記憶部に、操作の実行が指示されたか否かが所定数以上、記憶されている操作であることをいう。この判断がＮＯである場合には、ステップＳ１５Ｂに進む。
【００６６】
ステップＳ１５Ｂでは、提案処理で決定した操作、すなわちステップＳ６、Ｓ１２で決定した操作を提案すると決定する。
【００６７】
ステップＳ１５Ａの判断がＹＥＳである場合には、ステップＳ１５Ｃに進む。ステップＳ１５Ｃでは、学習した嗜好に基づいて、ドライバが、一次提案決定処理（Ｓ６）で決定した一次操作を実行するかどうかを判断する。
【００６８】
この判断においては、ステップＳ６、Ｓ１２で一次操作と二次操作をともに提案すると決定している場合には、ステップＳ６、Ｓ１２で決定している一次操作と二次操作の組み合わせに対して学習した一次操作の嗜好を参照する。参照した結果、一次操作をドライバが実行している比率が所定比率以上である場合には、ドライバが、一次提案決定処理（Ｓ６）で決定した一次操作を実行すると判断する（Ｓ１５Ｃ：ＹＥＳ）。反対に、一次操作をドライバが実行している比率が所定比率より小さい場合には、ドライバは、一次提案決定処理（Ｓ６）で決定した一次操作を実行しないと判断する（Ｓ１５Ｃ：ＮＯ）。
【００６９】
ステップＳ１５Ｃの判断がＮＯであれば、ドライバが実行しない一次操作を提案しても意味がないため、図７の処理を終了する。
【００７０】
ステップＳ１５Ｃの判断がＹＥＳの場合、ステップＳ１５Ｄに進む。ステップＳ１５Ｄでは、二次操作があるかどうかを判断する。この判断がＮＯである場合には、ステップＳ１５Ｅに進む。ステップＳ１５Ｅでは、一次操作のみを提案することに決定する。
【００７１】
ステップＳ１５Ｄの判断がＹＥＳであれば、ステップＳ１５Ｆに進む。ステップＳ１５Ｆでは、学習した嗜好に基づいて、ドライバが、二次操作を実行するかどうかを判断する。この判断においては、学習した二次操作の嗜好のうち、ステップＳ６、Ｓ１２で決定している一次操作と二次操作の組み合わせを参照する。参照した結果、二次操作をドライバが実行している比率が所定比率以上である場合には、ドライバが、二次操作を実行すると判断する（Ｓ１５Ｆ：ＹＥＳ）。反対に、二次操作をドライバが実行している比率が所定比率より小さい場合には、ドライバは、一次操作を実行しないと判断する（Ｓ１５Ｆ：ＮＯ）。
【００７２】
ステップＳ１５Ｆの判断がＮＯであれば、前述のステップＳ１５Ｅに進む。よって、一次操作のみを提案することになる。一方、ステップＳ１５Ｆの判断がＹＥＳであれば、ステップＳ１５Ｇに進む。ステップＳ１５Ｇでは、一次操作、二次操作を提案することに決定する。
【００７３】
ステップＳ１５Ｂ、Ｓ１５Ｅ、Ｓ１５Ｇのいずれかを実行した場合には、ステップＳ１６へ進む。ステップＳ１６以降は、第１実施形態と同じである。なお、ステップＳ１５Ａ〜Ｓ１５Ｇは提案出力処理部の処理である。
【００７４】
以上、説明した第２実施形態では、一次操作、二次操作に対するドライバの嗜好を学習している（Ｓ２４、Ｓ２６）。そして、学習結果を利用し、一次操作を提案した場合に、ドライバが一次操作を実行するかを判断している。そして、一次操作を提案してもドライバが一次操作を実行しないと判断した場合には（Ｓ１５Ｃ：ＮＯ）、一次操作を決定していても、一次操作を提案しない。また、一次操作は実行すると判断したが（Ｓ１５Ｃ：ＹＥＳ）、二次操作は実行しないと判断した場合には（Ｓ１５Ｆ：ＮＯ）、二次操作を決定していても、二次操作を提案しない。これらにより、実行しない操作をドライバに提案してしまい、ドライバに煩わしさを感じさせてしまうことを抑制できる。
【００７５】
二次操作に対する学習、および、二次操作を実行するかどうかの判断を、一次操作と二次操作の組み合わせ別に行っている。また、一次操作に対する学習、および、一次操作を実行するかどうかの判断も、一次操作と二次操作の組み合わせ別に行っている。これにより、一次操作、二次操作を提案した場合に、ドライバがそれら一次操作、二次操作を実行するかどうかの判断精度が向上する。
【００７６】
以上、本発明の実施形態を説明したが、本発明は上述の実施形態に限定されるものではなく、次の変形例も本発明の技術的範囲に含まれ、さらに、下記以外にも要旨を逸脱しない範囲内で種々変更して実施することができる。
【００７７】
＜変形例１＞
たとえば、一次操作、二次操作は、前述の実施形態に限られない。図８に、これまで説明した一次操作、二次操作とは別の一次操作、二次操作の例を示す。別例１では、一次予測が不快エリアを進入するという予測である。不快エリアとは、悪臭がするエリアである。一次操作は、その不快エリアを回避するートに変更するという操作である。二次予測は、目的地への到着時刻が遅くなるという予測である。二次操作は、到着が遅れることを連絡するという操作である。
【００７８】
この別例１では、ドライバは、ルート変更と、到着が遅れることを連絡することが提案されるので、到着が遅れても不快エリアを回避するか、到着が遅れることを避けるため、不快エリアに進入するかを選択することができる。すなわち、到着が遅れることを考慮して、一次操作であるルート変更をするかどうかを判断することができる。
【００７９】
別例２では、一次予測が事故渋滞に巻き込まれるという予測である。一次操作は、渋滞を回避するためのルート変更という操作である。二次予測は、目的地への到着時刻が遅くなるという予測である。二次操作は、到着が遅れることを連絡するという操作である。
【００８０】
この別例２では、ルート変更という提案とともに、到着が遅れることを連絡するという提案もされることで、ドライバは、その連絡を行ったほうがよいかどうかを、早めに考えることができる。
【００８１】
＜変形例２＞
前述の実施形態では、予測は二次予測までしかしておらず、操作も二次操作までしか決定していなかったが、三次以上の予測を行い、三次以上の操作を決定してもよい。
【００８２】
＜変形例３、４＞
前述の実施形態では、一次操作メッセージ４１、二次操作メッセージ４２に加えて、一次操作理由メッセージ４３、二次操作理由メッセージ４４も表示していたが、これら一次操作理由メッセージ４３、二次操作理由メッセージ４４の一方または両方を表示しなくてもよい（変形例３）。また、一次操作指示ボタン４６、複合操作指示ボタン４７、キャンセルボタン４８を表示することも必須ではない（変形例４）。これらのボタン４６、４７、４８を表示しなくても、ドライバは、各操作対象機器を操作するために備えられている専用の操作部を操作すればよいからである。
【符号の説明】
【００８３】
１：車両用操作提案装置、      １０：近距離通信部、      ２０：広域通信部、      ３０：位置検出部、      ４０：表示部、      ４１：一次操作メッセージ、      ４２：二次操作メッセージ、      ４２ａ：二次操作メッセージ、      ４２ａ１：操作スイッチ図形、      ４３：一次操作理由メッセージ、      ４４：二次操作理由メッセージ、      ４５：提案図形、      ４６：一次操作指示ボタン、      ４７：複合操作指示ボタン、      ４８：キャンセルボタン、      ４９：操作不要メッセージ、      ５０：スピーカ、      ６０：タッチパネル、      ７０：ＥＣＵ、      １１０：車内ＬＡＮ、      １２０：ボディＥＣＵ、      １３０：ウィンドウ駆動部、      １４０：エアコンＥＣＵ、      １５０：エアコン駆動部
【図１】
2015160522.tif 000003
【図２】
2015160522.tif 000004
【図３】
2015160522.tif 000005
【図４】
2015160522.tif 000006
【図５】
2015160522.tif 000007
【図６】
2015160522.tif 000008
【図７】
2015160522.tif 000009
【図８】
2015160522.tif 000010